(57)【要約】  本発明は、横方向に近接して並べられた一対のサーフボード（１０、１２）と、該一対のサーフボード（１０、１２）のそれぞれの上面に設けられた溝（１０ｄ、１２ｄ）内を当該サーフボード（１０、１２）の船首・船尾方向に移動可能に設けられたマスト端部固着用螺子（ＭＴ）に螺合する螺子（２６）を介して当該サーフボード（１０、１２）上に着脱可能に固定された板状体（１４、１６、１８）と、当該板状体（１４、１６、１８）上のほぼ中央に固着された係合部（３０）を介して全方位に傾倒可能に連結されたマスト（２４ｃ）と、該マスト（２４ｃ）に張設された帆（２４ａ）と、該マスト（２４ｃ）に、当該帆（２４ａ）を挟むように環状に設けられたブーム（２４ｂ）とを少なくとも備えたリグ（２４）と、前記板状体（１４、１６、１８）上に、前記マスト（２４ｃ）よりも船首側に立設され、先端に第１環状部材（２０ａ）が設けられた棒状体（２０）とを備えることを特徴とするツインセイリングボードに関する。
2009093320.tif 000002
【特許請求の範囲】
【請求項１】
横方向に近接して並べられた一対のサーフボード（１０、１２）と、
該一対のサーフボード（１０、１２）のそれぞれの上面に設けられた溝（１０ｄ、１２ｄ）内を当該サーフボード（１０、１２）の船首・船尾方向に移動可能に設けられたマスト端部固着用螺子（ＭＴ）に螺合する螺子（２６）を介して当該サーフボード（１０、１２）上に着脱可能に固定された板状体（１４、１６、１８）と、
当該板状体（１４、１６、１８）上のほぼ中央に固着された係合部（３０）を介して全方位に傾倒可能に連結されたマスト（２４ｃ）と、該マスト（２４ｃ）に張設された帆（２４ａ）と、該マスト（２４ｃ）に当該帆（２４ａ）を挟むように環状に設けられたブーム（２４ｂ）とを少なくとも備えたリグ（２４）と、
前記板状体（１４、１６、１８）上に、前記マスト（２４ｃ）よりも船首側に立設され、先端に第１環状部材（２０ａ）が設けられた棒状体（２０）とを備えることを特徴とするツインセイリングボード。
【請求項２】
前記一対のサーフボード（１０、１２）の板状体（１４、１６、１８）より船首側に、第２板状体（３４）が固着され、該第２板状体（３４）に梁上部材（３６）を介してパドル（３２）がピボタリーに固着されてなる請求の範囲第１項記載のツインセイリングボード。
【発明の詳細な説明】
【技術分野】
【０００１】
本発明は、ツインセイリングボードに関する。さらに詳しくは、横方向に二つのサーフボードが連結された、転覆の危険性がきわめて低い安全性の高いウインドサーフィン用のツインセイリングボードに関する。
【背景技術】
【０００２】
ウインドサーフィン用のセイリングボード（以下、単に「セイリングボード」という）は、１枚のサーフボード上にマストが全方位に傾倒自在（すなわち、マストの固定軸を中心として、マストの先端の移動軌跡がほぼ半球形面となる）に設けられ、このマストに対してほぼ垂直方向に延びる複数本の撓み性を有する棒状の骨材（以下、「バテン」（Ｂａｔｔｅｎ））が取り付けられ、ほぼ三角形状を呈した帆（ｓａｉｌ）は、その一辺がマストに取り付けられ、他の一辺が帆に設けられた、複数のバテンを包む袋状のバテンポケットに挿通することによって張設されている。さらにマストには、マストから帆を挟んで帆の両面に延びる撓み性を有するブーム（操作者が帆を操るハンドルのこと）が環状に設けられている。このように、セイリングボードは、マストが全方位に傾倒自在である点で、ヨット（艇体に片持ち梁として固定される）と著しく相違している。したがって操作者は、強風下、微風下を問わず、風圧を受けた帆が倒れて水没しないように操作者自身の体重で支えつつ、帆をサーフボードのフロント（船首）とエンド（船尾）とを結ぶ直線に対して傾け、かつマストが倒れないようにブームを手で握り、操作者自身の重心を移動したり、サーフボード上を右舷側または左舷側に移動することによって帆を傾倒させる技術（タッキング（ｔａｃｋｉｎｇ）、ジャイビング（ｊｉｂｉｎｇ））を駆使して、サーフボードのフロント（船首）を回頭（ｔｕｒｎ）させるのである。このため、セイリングボードは、ヨットと比べて、ベテランといえどもしばしば転覆する程に操作が難しいのである。特に、操作技術の未熟な初心者については、必ずといっていいほどの高い頻度で転覆し、溺れそうになり、水や海水を多量に飲むという事態が起こる。そして、水中に投げ出された後、再びサーフボード上に乗れたとしても、セイルアップ（帆を立てること（ｓａｉｌ  ｕｐ））の作業が必要となるのであるが、無風下でも体のバランスを取りながら帆を立てることは初心者には難しく、強風下で体のバランスを取りながら帆を立てることは不可能といっても過言ではない。このようにセイリングボードは、ヨットと比べてマストが全方位に傾倒自在であるがゆえに転覆の可能性と、セイルアップ（帆を立てること（ｓａｉｌ  ｕｐ））の作業をなくすることができない。このため、操作に熟達するまでには、晴天時はもちろんのこと、荒天下をも含め何千回も転覆をして操作技術の経験を積む必要があるが、多くの初心者にとっては、転覆の恐怖と、セイルアップ（帆を立てること（ｓａｉｌ  ｕｐ））の作業の難しさのあまり、挫折するという問題があり、ウインドサーフィンの普及を妨げる一因ともなっている。【０００３】
従来のセイリングボードのかかる問題点に鑑みて、本発明者は、帆を立てるためのマストとは別の棒状部材（一種の手摺り）をサーフボード上に片持ち梁（ｃａｎｔｉｌｅｖｅｒ）状に設けることを提案した（特許第３６８６０１４号公報）。【０００４】
特許第３６８６０１４号公報に記載の発明では、帆が水面に倒れた場合、一端を帆に固定したロープが、当該棒状部材の先端に設けられた環状体（方向変換具）に通され、サーフボード上でユーザーがロープの他端を手で掴み、サーフボードに対して略垂直方向に下向きにロープを引くという単純な操作（ロープの引き操作）で水面に倒れた帆を立てることができるので、セイルアップ（帆を立てること）にかかわる作業の複雑さだけは軽減された。
【発明の開示】
【０００５】
特許第３６８６０１４号公報に記載の発明においては、セイルアップ（帆を立てること）にかかわる作業の複雑さだけは軽減されたが、サーフボードが転覆するという本質的な問題は依然として解決さていないため、転覆により湖や海中に投げ出され溺れることへの恐怖心を払拭させることができないのである。
【０００６】
本発明は、転覆の可能性がきわめて低く、そのうえセイルアップの作業を容易になし得るツインセイリングボードを低コストで提供することを目的とするものである。
【０００７】
請求の範囲第１項記載のセイリングボードでは、横方向に近接して並べられた一対のサーフボード（１０、１２）と、
該一対のサーフボード（１０、１２）のそれぞれの上面に設けられた溝（１０ｄ、１２ｄ）内を当該サーフボード（１０、１２）の船首・船尾方向に移動可能に設けられたマスト端部固着用螺子（ＭＴ）に螺合する螺子（２６）を介して当該サーフボード（１０、１２）上に着脱可能に固定された板状体（１４、１６、１８）と、
当該板状体（１４、１６、１８）上のほぼ中央に固着された係合部（３０）を介して全方位に傾倒可能（ｐｉｖｏｔａｌｌｙ）に連結されたマスト（２４ｃ）と、該マスト（２４ｃ）に張設された帆（２４ａ）と、該マスト（２４ｃ）に当該帆（２４ａ）を挟むように環状に設けられたブーム（２４ｂ）とを少なくとも備えたリグ（２４）と、
前記板状体（１４、１６、１８）上に、前記マスト（２４ｃ）よりも船首側に立設され、先端に第１環状部材（２０ａ）が設けられた棒状体（２０）とを備える。
【図面の簡単な説明】
【０００８】
【図１】本発明のセイリングボードの第１実施形態を示す図である。
【図２】本発明のセイリングボードの第１実施形態を示す図である。
【図３】第１板状部材をサーフボードに取り付けた状態を示す図である。
【図４】リグを第１板状部材に取り付けた状態を示す図である。
【図５】本発明のセイリングボードの第２実施形態を示す図である。
【図６】本発明のセイリングボードの第３実施形態を示す図である。
【発明を実施するための最良の形態】
【０００９】
以下、本発明の実施形態を図面を用いて説明する。図１〜４は本発明のツインセイリングボードの第１実施形態を示している。ツインセイリングボード１００は、横方向に近接して並べられた一対のサーフボード１０、１２のそれぞれの上面に設けられた溝１０ｄ、１２ｄ内を当該サーフボードの船首・船尾方向に移動可能に設けられたマスト端部固着用螺子ＭＴに螺合する螺子２６を介して当該サーフボード１０、１２上に着脱可能に固定された板状体１４、１６、１８と、当該板状体１４、１６、１８上のほぼ中央に固着された係合部３０を介して全方位に傾倒可能に連結されたマスト２４ｃと、該マスト２４ｃに張設された帆２４ａと、該マスト２４ｃに当該帆２４ａを挟むように環状に設けられたブーム２４ｂとを少なくとも備えたリグ２４と、前記板状体１４、１６、１８上に、前記マスト２４ｃよりも船首側に立設され、先端に第１環状部材（２０ａ）が設けられた棒状体（２０）とを備えている。セイリングボード１００用いる連結器具１０２を有している。【００１０】
連結器具１０２は、横方向に近接して並べられた一対のサーフボード１０、１２のそれぞれの上面に設けられた溝１０ｄ、１２ｄ内を当該サーフボードの船首・船尾方向に移動可能に設けられたマスト端部固着用螺子ＭＴに螺合する螺子２６を介して当該サーフボード１０、１２上に着脱可能に固定された板状体１４、１６、１８から構成されている。本実施の形態において、板状体１４、１６、１８は、第１平板１４、第２平板１６および第１板状部材１８から構成されている。しかし、板状体は、一枚の木製または合成樹脂性の板から構成することも可能である。【００１１】
そして、第１板状部材１８には、ユーザーによって操作されるリグ２４が着脱自在に取り付けられる。【００１２】
溝１０ｄ、１２ｄは、本来、サーフボード１０、１２のデッキ１０ｃ、１２ｃにリグ２４を取り付けるために予め設けられた空間であり、マスト２４ｃの取付用係合部３０の雄ネジ部３０ｂが進入し得る空間１２ｇと、当該雄ネジ部３０ｂと螺合する雌ネジが形成されたナットＭＴを設ける凹所１２ｆとから構成されている。【００１３】
叙上のとおり、本発明のツインセイリングボード１００は、浮体であるサーフボードを横方向に２枚備えているため、転覆の危険性がきわめて低く、そのうえサーフボードが１つの場合に比べて、セイルアップを行う際にユーザーの足場となる第１板状部材１８の面積を大きくできる。したがって、ユーザーは転覆の恐怖や溺れることへの恐怖心を抱くことなく、ウインドサーフィンの操作技術の習得に専念することができ、湖面や海面を滑るように走行する爽快感を満喫することができ、さらに容易にユーザーの体のバランスを保つことができ、水面にセイル２４ａが倒れても、水面から冷静に引き上げることができる。このため、ユーザーが初心者であっても、ウインドサーフィンに興じることへの熱意が削がれることなく、操作技術を習得し、着実に上達することができる。【００１４】
また、本発明では、サーフボード１０、１２に本来設けられたマストの立説用の溝１０ｄ、１２ｄと、当該溝１０ｄ、１２ｄに移動自在に設けられたナットＭＴを用いて第１板状部材１８をデッキ１０ｃ、１２ｃに着脱可能である。このため、初級ユーザーは、サーフボードが１つの場合に比べて航行速度が遅くても安心してウインドサーフィンに興じることができる。一方、操作に慣れた上級ユーザーは、第１板状部材１８をデッキ１０ｃ、１２ｃから取り外すことで一枚のボードとして通常のウインドサーフィンを楽しむことができる。【００１５】
この例では、第１平板１４、第２平板１６および第１板状部材１８は角型であるが、もちろん、円形や楕円形など様々な形が考えられる。これらの平板や部材に用いる材料については、アルミニウムなどの軽金属、合成樹脂性のプラスチック、木製の材料やチップボンドなど、必要な強度を保ちつつサーフボード１０、１２の浮力を損なわない軽量のものであれば何でもよい。【００１６】
棒状体２０は、例えば第１板状部材１８に設けられた棒状部材（図示せず）に挿入され、第１板状部材１８に立設される。なお、別の仕様として、棒状体２０を第１板状部材１８に直接挿入および固定してもよい。棒状体２０の径については、使用する材料の強度にもよるが、例えばアルミニウム管であれば２０〜５０ｍｍ程度とするのが望ましい。【００１７】
また、その長さについては、操作上の便宜および航行への支障の観点から、ユーザーの腰から身長の間の長さとするのが望ましい。更には、セイルアップ完了時のブーム２４ｂの位置（これは、通常はユーザーの胸の高さ程度となっている）とするのが最も望ましい。【００１８】
棒状体２０の先端には、ロープ２２が貫通する第１環状部材２０ａが設けられる。ロープ２２の一端は、リグ２４に固定される。ロープ２２の他端は、ユーザーによって把持される。このため、ユーザーは、帆２４ａが水面に倒れた場合、リグ２４を操作する際にロープ２２を引っ張ればよい。この場合、ユーザーは、サーフボード１０、１２に対して略垂直方向に下向きにロープ２２を引くことでセイルアップを行うことができる。【００１９】
ただし、ロープ２２が水で濡れている場合、第１環状部材２０ａの内側とロープ２２との間に生じる摩擦が大きくなるため、ロープ２２を引く際に大きな力が必要となる。このため、第１環状部材２０ａの内側に沿って低摩擦部材（例えば、ビーズ）を接着し、摩擦の低減を図ってもよい。【００２０】
また、ユーザーがロープ２２を直接手で掴んで引っ張る場合、手を離すとロープ２２が逆戻りするため、セイルアップを終えるまでの間、常にロープ２２を手で掴んでおく必要がある。しかし、帆２４ａの重量を考えると、手や腕への相当な負担となるから、セイルアップ中に手を離してもロープ２２が逆戻りしないようにすることが望ましい。また、ユーザーは、セイルアップ後にロープ２２を第１環状部材２０ａに括りつけてもよい。【００２１】
図３は本発明の第１板状部材１８をサーフボード１２に取り付けた状態を示している。溝１２ｄは、ナットＭＴを有している。第１板状部材１８は、第１平板１４を介したボルト部材２６と該ナットＭＴに形成された雌ねじとの羅合によってサーフボード１２に取り付けられる。【００２２】
図４は本発明のリグ２４（帆２４ａ、ブーム２４ｂ、マスト２４ｃ）を第１板状部材１８に取り付けた状態を示している。この例では、マスト２４ｃは、係止爪２８および係合部３０を介して第１板状部材１８に取り付けられる。第１板状部材１８の略中央には、凹状の雌ねじ部１８ａが形成されている。マスト２４ｃの一端の内周部には、雌ねじ部２４ｄが形成されている。【００２３】
係止爪２８は、ボルト部材２８ａと杯状部材２８ｂで構成される。ボルト部材２８ａは、雌ねじ部２４ｄに取り付けられる。係合部３０は、球状部材３０ａとボルト部材３０ｂで構成される。ボルト部材３０ｂは、雌ねじ部１８ａに取り付けられる。そして、係止爪２８の杯状部材２８ｂを係合部３０の球状部材３０ａに係合させることで、係止爪２８は係合部３０と係合する。【００２４】
この係合によって、ユーザーは係合部３０を支点としてマスト２４ｃを全方位に移動させることができる（米国特許第４２３６４７６号明細書参照）。なお、このような目的を達成するための部材としては、様々な形、構造、材料のものが考えられ、これに限定されるものではない。【００２５】
図５は本発明のセイリングボードの第２実施形態を示している。第１実施形態で説明した要素と同一の要素については、詳細な説明を省略する。この実施形態では、セイリングボード２００に用いる連結器具２０２が、パドル３２、第２板状部材３４、梁状部材３６、棒状部材３８を備える点を除いて、第１実施形態（図１〜４）のセイリングボード１００と同じである。【００２６】
パドル３２は、シャフト３２ａと、シャフト３２ａの両端に設けられた一対のブレード３２ｂとを有する。このため、セイリングを終えたユーザーは、帆走が困難な無風や微風状態にあっても、パドル３２を操作することでセイル２４ａを第１板状部材１８に寝かせて岸に辿りつくことができる。【００２７】
第２板状部材３４は、パドル３２を操作するユーザーが座る場所となる部分であり、第１板状部材１８より船首１０ａ、１２ａ側に設けられる。梁状部材３６は、サーフボード１０、１２間に介装される。梁状部材３６は、例えばボルト部材とナット部材の螺合によって、第２板状部材３４の棒状体２０と反対側の面（図示せず）に取り付けられる。【００２８】
棒状部材３８は、梁状部材３６の船首１０ａ、１２ａ側に一端を差し込んで立設される。棒状部材３８の先端には、シャフト３２ａを貫装する第２環状部材３８ａが形成される。【００２９】
以上、この実施形態においても、第１実施形態と同様な効果を得ることができる。さらに、帆走を終えたユーザーは、帆走が困難な無風状態にあっても、パドル３２を操作することで帆２４ａを第１板状部材１８に寝かせて岸に辿りつくことができる。【００３０】
図６は本発明のセイリングボードの第３実施形態を示している。第１実施形態で説明した要素と同一の要素については、詳細な説明を省略する。この実施形態では、セイリングボード３００に用いる連結器具３０２が、船首１０ａ、１２ａ側でボード牽引用の第３環状部材１０ｅ、１２ｅがそれぞれ形成された一対のサーフボード１０、１２を備える点を除いて、第１実施形態（図１〜４）のセイリングボード１００と同じである。【００３１】
以上、この実施形態においても、第１実施形態と同様な効果を得ることができる。さらに、この例では、ロープ４０を第３環状部材１０ｅ、１２ｅに通し、ロープ４０を第３環状部材１０ｅ、１２ｅに括りつけることで、第１実施形態に比してより強固にサーフボード１０、１２をジョイントできる。【００３２】
以上、本発明について詳細に説明してきたが、上記の実施形態およびその変形例は発明の一例に過ぎず、本発明はこれに限定されるものではない。本発明を逸脱しない範囲で変形可能であることは明らかである。
【産業上の利用可能性】
【００３３】
本発明によれば、転覆の可能性がきわめて低く、そのうえセイルアップの作業を容易になし得る初心者にとっては操作技術の習得に好適なツインセイリングボードを低コストで提供することができる。さらに、当該初心者が修練を積み、中級・上級レベルに達したときには、ボルト部材２６を緩めて、連結器具１０２を取り外し、マスト２４ｃを係合部３０を介してナットＭＴに取り付ければ、通常のセイリングボードが得られる。
【図１】
2009093320.tif 000003
【図２】
2009093320.tif 000004
【図３】
2009093320.tif 000005
【図４】
2009093320.tif 000006
【図５】
2009093320.tif 000007
【図６】
2009093320.tif 000008
【国際調査報告】
2009093320.tif 000009
2009093320.tif 000010
2009093320.tif 000011
2009093320.tif 000012